(57)【要約】【課題】  カーテン状の扉部材を用いた新規な簡易扉を提供する。【解決手段】  壁部７２がレール本体７１の上側から突出し、当該壁部７２に両面テープ７３が貼付されている。そして、下側に壁部がある場合の剥離モーメントは、上側に壁部がある場合の剥離モーメントより大きくなる。したがって、仮に、両面テープ７３にてレール７が建物に接着固定された構成においては、レール本体７１に作用する下向きの荷重に対して効率よく対抗でき得る。【選択図】図３
0003209105.tif 000002
【実用新案登録請求の範囲】
【請求項１】
建物の開口部を閉塞するための扉部材であって、可撓性を有するカーテン状の扉部材と、
前記扉部材の端部側に装着された複数のランナーであって、当該扉部材を吊り下げるための複数のランナーと、
前記複数のランナーを移動可能に支持するとともに、一部が開放された略Ｃ状の開断面形状を有するレール本体、並びに前記レール本体の側面に一体化され、当該レール本体の延び方向と平行な方向に延びる帯板状の壁部を備えるレールとを具備し、
前記レール本体の開口の向きと平行な方向を開口方向とし、当該開口方向及び当該レール本体の延び方向と直交する方向を幅方向としたとき、
前記壁部は、前記レール本体の幅方向一端側の側面に一体化され、かつ、当該レール本体に対して開口方向一端及び開口方向他端のうち少なくとも一方から開口方向に突出している簡易扉。
【請求項２】
前記レール本体のうち開口側を下側とし、前記レール本体のうち開口方向において当該下側と反対側を上側としたとき、
前記壁部は、少なくとも上側から開口方向に突出しているとともに、その上側から突出した壁部のうち幅方向と直交する面には、両面テープが貼付可能である請求項１に記載の簡易扉。
【請求項３】
前記レール本体のうち開口側を下側とし、前記レール本体のうち開口方向において当該下側と反対側を上側としたとき、
前記壁部は、少なくとも下側から開口方向に突出している請求項１又は２に記載の簡易扉。
【請求項４】
建物の開口部を閉塞するための扉部材であって、可撓性を有するカーテン状の扉部材と、
前記扉部材の端部側に装着された複数のランナーであって、当該扉部材を吊り下げるための複数のランナーと、
請求項１ないし３のいずれか１項に記載のレールであって、長手方向寸法が２５ｃｍ以上、４０ｃｍ未満の複数本のレールと、
前記複数本のレールを接続するための少なくとも１つの接続部材と、
前記複数本のレール、前記接続部材、前記複数のランナー、及び折り畳まれた前記扉部材が収納された包袋と
を具備する簡易扉パッケージセット。
【考案の詳細な説明】
【技術分野】
【０００１】
本願は、カーテン状の扉部材を用いた簡易扉、及び当該簡易扉のパッケージセットに関する。
【背景技術】
【０００２】
例えば、特許文献１に記載のカーテンレールは、略Ｃ字状の断面形状を有している。そして、カーテンを吊り下げるための複数のランナーが、当該カーテンレールに移動可能に装着されている。
【先行技術文献】
【特許文献】
【０００３】
【特許文献１】特許第５９２６８９７号明細書
【考案の概要】
【考案が解決しようとする課題】
【０００４】
本願は、カーテン状の扉部材を用いた新規な簡易扉を提供する。
【課題を解決するための手段】
【０００５】
本願では、建物の開口部を閉塞するための扉部材（３）であって、可撓性を有するカーテン状の扉部材（３）と、扉部材（３）の端部側に装着された複数のランナー（５）であって、当該扉部材（３）を吊り下げるための複数のランナー（５）と、複数のランナー（５）を移動可能に支持するとともに、一部が開放された略Ｃ状の開断面形状を有するレール本体（７１）、並びにレール本体（７１）の側面に一体化され、当該レール本体（７１）の延び方向と平行な方向に延びる帯板状の壁部（７２）を備えるレール（７）とを具備し、レール本体（７１）の開口の向きと平行な方向を開口方向とし、当該開口方向及び当該レール本体（７１）の延び方向と直交する方向を幅方向としたとき、壁部（７２）は、レール本体（７１）の幅方向一端側の側面に一体化され、かつ、当該レール本体（７１）に対して開口方向一端及び開口方向他端のうち少なくとも一方から開口方向に突出している。
【０００６】
これにより、例えば、壁部（７２）が少なくともレール本体（７１）の上側から突出している場合には、その上側から突出した壁部に両面テープ（７３）等の接着層を設けることができる。
【０００７】
そして、当該両面テープ（７３）等にてレール（７）が建物に接着固定された構成においては、レール本体（７１）に作用する下向きの荷重（例えば、扉部材（３）の自重）に対して効率よく対抗でき得る。
【０００８】
すなわち、レール本体（７１）に作用する下向きの荷重は、両面テープ（７３）等と建物との接着面を剥がすような向きのモーメント（以下、剥離モーメントという。）を発生させる。当該剥離モーメントの回転中心は、建物に固定された状態におけるレール（７）の下端となる。
【０００９】
そして、仮に、下側から突出した壁部（７２）に両面テープ（７３）が貼付された構成であると、剥離モーメントの回転中心である下端から上方側に離間した位置にレール本体（７１）が位置する。一方、上側から突出した壁部（７２）に両面テープ（７３）が貼付された構成であると、剥離モーメントの回転中心である下端に近い位置にレール本体（７１）が位置する。
【００１０】
このため、下側から突出した壁部（７２）に両面テープ（７３）が貼付された構成時に発生する剥離モーメントは、上側から突出した壁部（７２）に両面テープ（７３）が貼付された構成時に発生する剥離モーメントより大きくなる。
【００１１】
したがって、上側から突出した壁部（７２）に両面テープ（７３）が貼付された構成であれば、剥離モーメントに対して十分に対抗することが可能となり、十分な固定強度を得ることが可能となり得る。
【００１２】
カーテン状の扉部材（３）は、ランナー（５）を介してレール（７）に吊り下げられるので、当該ランナー（５）の存在により、扉部材（３）とレール（７）との間に隙間が発生する。このため、当該隙間から日光や室内灯の光が漏れてしまう可能性がある。これに対して、例えば、レール（７）に下側から突出した壁部（７２）が設けられている場合には、当該光を遮ることが可能となる。
【００１３】
簡易扉パッケージセットでは、建物の開口部を閉塞するための扉部材（３）であって、可撓性を有するカーテン状の扉部材（３）と、扉部材（３）の端部側に装着された複数のランナー（５）であって、当該扉部材（３）を吊り下げるための複数のランナー（５）と、請求項１ないし３のいずれか１項に記載のレール（７）であって、長手方向寸法が２５ｃｍ以上、４０ｃｍ未満の複数本のレール（７）と、複数本のレール（７）を接続するための少なくとも１つの接続部材（７４）と、複数本のレール（７）、接続部材（７４）、複数のランナー（５）、及び折り畳まれた扉部材（３）が収納された包袋（９）とを具備する。
【００１４】
これにより、最大寸法が４０ｃｍ程度の包袋（９）内に簡易扉を構成する部品が収納された状態となる。したがって、簡易扉を販売する販売店においては、当該簡易扉を販売するために大きなスペースを必要とせず、購買者が目に付き易い箇所に簡易扉を展示可能となるので、当該簡易扉の販売促進を期待することが可能である。
【００１５】
なお、レール（７）の長手方向寸法が４０ｃｍを越える寸法であると、包袋（９）内にレール（７）を収納することができないので、レール売り場と扉部材（３）等の売り場とが異なる売り場とならざるを得ない。このような販売形態であると、簡易扉の販売促進を期待することが難しい。
【００１６】
因みに、上記各括弧内の符号は、後述する実施形態に記載の具体的構成等との対応関係を示す一例であり、本考案は上記括弧内の符号に示された具体的構成等に限定されるものではない。
【図面の簡単な説明】
【００１７】
【図１】本考案の実施形態に係る簡易扉１の概要を示す図である。
【図２】本考案の実施形態に係るランナー５を示す図である。
【図３】Ａは本考案の第１実施形態に係るレール７の正面図である。Ｂは本考案の第１実施形態に係るレール７の端面図である。
【図４】本考案の実施形態に係るレール７の接続を示す図である。
【図５】本考案の実施形態に係る簡易扉パッケージセットを示す図である。
【図６】本考案の第２実施形態に係るレール７の端面図である。
【図７】Ａは本考案の第３実施形態に係るレール７の上面図である。Ｂは本考案の第３実施形態に係るレール７の端面図である。
【考案を実施するための形態】
【００１８】
以下に説明する「考案の実施形態」は、本願考案の技術的範囲に属する実施形態の一例を示すものである。つまり、実用新案登録請求の範囲に記載された考案特定事項等は、下記の実施形態に示された具体的構成や構造等に限定されるものではない。
【００１９】
以下、本考案の実施形態を図面と共に説明する。なお、各図に付された方向を示す矢印等は、各図相互の関係を理解し易くするために記載したものである。本考案は、各図に付された方向に限定されるものではない。
【００２０】
少なくとも符号を付して説明した部材又は部位は、「１つの」等の断りをした場合を除き、少なくとも１つ設けられている。つまり、「１つの」等の断りがない場合には、当該部材は２以上設けられていてもよい。
【００２１】
（第１実施形態）
１．簡易扉
本実施形態は、ドア用網戸に本考案に係る簡易扉を適用したものであって、特に、引き戸が設置された建物の開口部に適用して有効である。ドア用網戸である簡易扉１は、図１に示すように、扉部材３、複数のランナー５及びレール７等を少なくとも有して構成されている。
【００２２】
扉部材３は、建物の開口部を閉塞するための可撓性を有するカーテン状の部材である。本実施形態に係る扉部材３は、網（ネット）状のポリエステル布である。複数のランナー５は、扉部材３の端部側に装着されて当該扉部材３を吊り下げるための部材である。
【００２３】
本実施形態に係る各ランナー５には、図２に示すように、クリップ部５Ａ及び摺動部５Ｂが設けられている。クリップ部５Ａは、扉部材３を挟み込んで挟持するために部位である。摺動部５Ｂは、レール７と滑り接触する樹脂製の部位である。
【００２４】
レール７は、図３Ａに示すように、レール本体７１及び壁部７２を有している。レール本体７１は、図３Ｂに示すように、複数のランナー５を移動可能に支持するための部位であって、一部が開放された略Ｃ状の開断面形状を有している。各ランナー５の摺動部５Ｂは、レール本体７１の開口７１Ａを貫通するように当該レール本体７１に装着される。
【００２５】
壁部７２は、レール本体７１の側面に一体化され、図３Ａに示すように、当該レール本体７１に対して上方側に突出するとともに、当該レール本体７１の延び方向と平行な方向に延びる帯板状の突条である。
【００２６】
換言すれば、壁部７２は、図３Ｂに示すように、レール本体７１の幅方向一端側の側面に一体化され、かつ、当該レール本体７１に対して開口方向一端から開口方向に突出している。
【００２７】
幅方向とは、開口方向及びレール本体７１の延び方向と直交する方向をいう。開口方向は、レール本体７１の開口の向きと平行な方向をいう。なお、レール本体７１の開口の向きとは、図３Ｂにおいては、紙面上側から下側に向かう向きである。
【００２８】
そして、壁部７２のうち幅方向と直交する面であってレール本体７１と反対側の面は、両面テープ７３等の接着部材にて建物の壁等に接着固定される。なお、両面テープ７３がメーカ出荷時点で既に壁部７２に貼付された構成、及び施工時に施工者が両面テープ７３を貼付する構成のいずれであってもよい。
【００２９】
２．簡易扉パッケージセット
本実施形態では、図４に示すように、複数本のレール７が接続部材７４を介して接続されることにより、所望のレール長さが確保される構成である。各レール７の長手方向寸法は、２５ｃｍ以上、４０ｃｍ未満（本実施形態では、３０ｃｍ）である。
【００３０】
なお、各レール７は、レール本体７１及び壁部７２が一体成形された樹脂部品である。接続部材７４は、レール本体７１の断面形状と略相似形状の断面形状を有する金属製の部材である。
【００３１】
そして、複数本のレール７、接続部材７４、複数のランナー５、及び扉部材３は、図５に示すように、包袋９内に収納されている。つまり、複数本のレール７は、接続されることなく個別状態で包袋９収納され、扉部材３は折り畳まれた状態で包袋９に収納されている。
【００３２】
なお、包袋９内には、上記に加えて、複数本のレール７の接続の仕方、及び接続された１本のレール７の固定施行の仕方等が記載された説明書（図示せず。）、並びに壁部７２に貼付される両面テープ７３、扉部材３を建物側に着脱自在に簡易固定するためのマグネットシート（図示せず。）、当該マグネットシートを装着するためのワンタッチテープ（図示せず。）、及び扉部材３の上端側を覆うためのレース（図示せず。）等が収納されている。
【００３３】
３．本実施形態に係る簡易扉等の特徴
本実施形態では、壁部７２がレール本体７１の上側から突出し、当該壁部７２に両面テープ７３が貼付されている。そして、両面テープ７３にてレール７が建物に接着固定された構成においては、レール本体７１に作用する下向きの荷重に対して効率よく対抗でき得る。
【００３４】
すなわち、レール本体７１に作用する下向きの荷重は、両面テープ７３と建物との接着面を剥がすような向きのモーメント（以下、剥離モーメントという。）を発生させる。当該剥離モーメントの回転中心は、建物に固定された状態におけるレール７の下端となる。
【００３５】
そして、仮に、レール本体７１の下側から突出した壁部（例えば、図６の下側壁部７２Ｂ）に両面テープ７３が貼付された構成であると、剥離モーメントの回転中心である下端から上方側に離間した位置にレール本体７１が位置する。
【００３６】
一方、上側から突出した壁部７２に両面テープ７３が貼付された構成であると、剥離モーメントの回転中心である下端に近い位置にレール本体７１が位置する。このため、下側壁部７２Ｂに両面テープ７３が貼付された構成時に発生する剥離モーメントは、上側壁部７２Ａに両面テープ７３が貼付された構成時に発生する剥離モーメントより大きくなる。
【００３７】
したがって、上側から突出した壁部７２に両面テープ７３が貼付された構成であれば、剥離モーメントに対して十分に対抗することが可能となり、十分な固定強度を得ることが可能となり得る。
【００３８】
簡易扉パッケージセットでは、扉部材３、複数のランナー５、長手方向寸法が２５ｃｍ以上、４０ｃｍ未満の複数本のレール７、少なくとも１つの接続部材７４、及び折り畳まれた扉部材３が１つの包袋９に収納されている。
【００３９】
これにより、最大寸法が４０ｃｍ程度の包袋９内に簡易扉を構成する部品が収納された状態となる。したがって、簡易扉１を販売する販売店においては、当該簡易扉１を販売するために大きなスペースを必要とせず、購買者が目に付き易い箇所に簡易扉を展示可能となるので、当該簡易扉の販売促進を期待することが可能である。
【００４０】
なお、レール７の長手方向寸法が４０ｃｍを越える寸法であると、包袋９内にレール７を収納することができないので、レール売り場と扉部材３等の売り場とが異なる売り場とならざるを得ない。このような販売形態であると、簡易扉の販売促進を期待することが難しい。
【００４１】
（第２実施形態）
上述の実施形態に係る壁部７２は、レール本体７１に対して開口方向一端から開口方向のみに突出した構成であった。これに対して、本実施形態に係る壁部７２は、図６に示すように、レール本体７１に対して開口方向一端及び開口方向他端から開口方向に突出している。
【００４２】
つまり、本実施形態に係る壁部７２は、レール本体７１から上側に突出した上側壁部７２Ａ、及びレール本体７１から上側に突出した下側壁部７２Ｂを有して構成されている。なお、上側壁部７２Ａ、下側壁部７２Ｂ及びレール本体７１は、樹脂製の一体成形品である。
【００４３】
なお、上述の実施形態と同一の構成要件等は、上述の実施形態と同一の符号を付したので、重複する説明は省略する。
ところで、カーテン状の扉部材３は、ランナー５を介してレール７に吊り下げられるので、当該ランナー５の存在により、扉部材３とレール７との間に隙間が発生する。このため、当該隙間から日光や室内灯の光が漏れてしまう可能性がある。これに対して、本実施形態では、レール７に下側壁部７２Ｂが設けられているので、当該下側壁部７２Ｂにより当該光を遮ることが可能となる。
【００４４】
（第３実施形態）
上述の実施形態では、両面テープ７３によりレール７を建物に固定する構造であった。これに対して、本実施形態では、図７Ａ及び図７Ｂに示すように、壁部７２に取付金具７７が設けたものである。
【００４５】
取付金具７７は、断面略コの字又はＣ字状に構成された金属製の金具７７Ａ、ネジ７７Ｂ及びコイルばね７７Ｃ等を有して構成されている。取付金具７７は、金具７７Ａ及びネジ７７Ｂにより鴨居等を挟み込んでレール７を建物に固定する。
【００４６】
なお、上述の実施形態と同一の構成要件等は、上述の実施形態と同一の符号を付したので、重複する説明は省略する。
（その他の実施形態）
上述の実施形態に係るレール７は、レール本体７１の上側から突出した壁部７２を備えていた。しかし、本願明細書に開示された考案はこれに限定されるものではない。すなわち、例えば、例えば、壁部７２として下側壁部７２Ｂのみを備えるレール７であってもよい。
【００４７】
上述の実施形態に係る簡易扉パッケージセットでは、両面テープ７３が予め壁部７２に貼付されていなかった。しかし、本願明細書に開示された考案はこれに限定されるものではない。すなわち、例えば、両面テープ７３が予め壁部７２に貼付されている構成であってもよい。
【００４８】
上述の実施形態に係るレール７は、複数本のレール７を接続部材７４により接続する構成であった。しかし、本願明細書に開示された考案はこれに限定されるものではない。すなわち、例えば、所定長さの１本のレール７により構成されていてもよい。
【００４９】
上述の実施形態に係るランナー５は、クリップ部５Ａ及び摺動部５Ｂが設けられた構成であった。しかし、本願明細書に開示された考案はこれに限定されるものではない。すなわち、例えば、リングによりランナー５が構成されていてもよい。
【００５０】
上述の実施形態に係るレール７は、レール本体７１と壁部７２とが樹脂製の一体成形品であった。しかし、本願明細書に開示された考案はこれに限定されるものではない。すなわち、例えば、レール本体７１と壁部７２とを別部品として製造された後、一体化された構成、又はレール本体７１と壁部７２とが金属製の一体成形品であってもよい。
【００５１】
上述の実施形態では、両面テープ７３又は取付金具７７にてレール７を建物に固定する構成であった。しかし、本願明細書に開示された考案はこれに限定されるものではない。すなわち、例えば、木ねじにてレール７を建物に固定する構成であってよい。
【００５２】
さらに、本考案は、実用新案登録請求の範囲に記載された考案の趣旨に合致するものであればよく、上述の実施形態に限定されるものではない。したがって、（ａ）上述した複数の実施形態のうち少なくとも２つの実施形態を組み合わせた考案、又は（ｂ）扉部材３としてカーテン生地を用いるとともに、上記レール７（特に、第２実施形態に係るレール７）をカーテンレールとして利用した考案であってもよい。
【００５３】
特に、上記（ｂ）に係る考案であれば、カーテンレールとカーテンの上端との隙間から日光が室内に入射してしまうこと、及び室内灯の光が外部に漏れてしまうことを有効的に防止できる。
【符号の説明】
【００５４】
１… 簡易扉  ３… 扉部材  ５… ランナー  ５Ａ… クリップ部
５Ｂ… 摺動部  ７… レール  ９… 包袋  ７１… レール本体
７１Ａ… 開口  ７２… 壁部  ７２Ａ… 上側壁部
７２Ｂ… 下側壁部  ７３… 両面テープ  ７４… 接続部材
７７… 取付金具  ７７Ａ… 金具  ７７Ｂ… ネジ
【図１】
0003209105.tif 000003
【図２】
0003209105.tif 000004
【図３】
0003209105.tif 000005
【図４】
0003209105.tif 000006
【図５】
0003209105.tif 000007
【図６】
0003209105.tif 000008
【図７】
0003209105.tif 000009